(57)【要約】      （修正有）【課題】同一のツールを用いて様々な直径の孔を作成し得ること、生成される削り屑が小さくなり熱が少なくなること、様々に異なる材料及び材料のスタックに対してドリル加工し得ること、並びにツールの寿命が長くなること。【解決手段】切削・研磨組み合わせ式オービタルドリル加工ツール１０は、切削端２０を含み且つ長手方向軸２２に沿って延びる、長尺のツール本体１２を含み得る。ツール本体１２は、切削端２０から間隔を空けて配置され、材料を除去することなく孔の側壁内に残留応力を誘起するように構成された研磨部１８を含み得る。ツール本体１２は、切削端２０と研磨部１８との間に間置された切削部１６をさらに含み得る。切削部１６は、オービタルドリル加工プロセス中にワークピースから材料を除去し、それによって孔が形成されるように構成され得る。【選択図】図１
2017205859.tif 000002
【特許請求の範囲】
【請求項１】
切削・研磨組合せ式オービタルドリル加工ツールであって、
切削端（１０４）を含み且つ長手方向軸（１０６）に沿って延びる長尺のツール本体（１２）を備え、
前記ツール本体は、
前記切削端（１０４）から間隔を空けて配置され、材料を除去することなく孔の側壁内に残留応力を誘起するように構成された研磨部（１０８）と、
前記切削端（１０４）と前記研磨部（１０８）の間に間置された切削部（１１０）であって、オービタルドリル加工プロセス中に、ワークピースから材料を除去し、それによって前記孔を作成するように構成された切削部（１１０）とを含む、切削・研磨組合せ式オービタルドリル加工ツール。
【請求項２】
前記切削部（１１０）は、複数の切削直径（１１６）であって、前記切削端（１０４）の近傍の第１の切削直径（１１６）を始めとして、後続の各切削直径（１１６）が先行する切削直径（１１６）よりも大きい複数の切削直径（１１６）を含む、請求項１に記載の切削・研磨組合せ式オービタルドリル加工ツール。
【請求項３】
前記ツール本体は、前記長手方向軸（１０６）に沿って配置されたツールシャフト（１１２）を含み、前記研磨部（１０８）は前記ツールシャフト（１１２）と前記切削部（１１０）の間に間置されており、前記ツールシャフト（１１２）はシャフト直径（１１８）を有し、前記研磨部（１０８）は前記シャフト直径（１１８）よりも大きい研磨直径（１２０）を有する、請求項１に記載の切削・研磨組合せ式オービタルドリル加工ツール。
【請求項４】
前記ツールの前記切削部（１１０）は最大切削直径（５１０）を有し、前記研磨直径（１２０）は前記最大切削直径（５１０）よりも大きい、請求項３に記載の切削・研磨組合せ式オービタルドリル加工ツール。
【請求項５】
前記研磨部（１０８）は、前記ツール本体から径方向に延び且つ前記長手方向軸（１０６）に沿って延びる長さを有する複数のフィン（２２９）であって、前記ツール本体の周囲に円周方向に分布している複数のフィン（２２９）を含む、請求項１に記載の切削・研磨組合せ式オービタルドリル加工ツール。
【請求項６】
前記複数のフィン（２２９）のそれぞれが前記長手方向軸（１０６）から測定された最大半径（２３２）まで延び、前記ツールの前記切削部（１１０）は切削半径（２４０）を有し、前記複数のフィン（２２９）の前記最大半径（２３２）は前記切削半径（２４０）よりも大きい、請求項５に記載の切削・研磨組合せ式オービタルドリル加工ツール。
【請求項７】
各フィンは、前記フィンの側面に対して垂直に見たときにアーチ形の径方向外表面を有する、請求項６に記載の切削・研磨組合せ式オービタルドリル加工ツール。
【請求項８】
前記切削部（１１０）は少なくとも１つの切削エッジ（２１６）を含み、各切削エッジ（２１６）は、前記ツール本体上に配置され且つ前記切削端（１０４）から前記長手方向軸（１０６）に沿って切削螺旋部（２１８）内に延び、前記研磨部（１０８）は各切削エッジ（２１６）に関連付けられた鈍形エッジ（３２６）を含み、各鈍形エッジ（３２６）は関連する前記切削エッジ（２１６）の前記切削螺旋部（２１８）に実質的に続いている鈍形螺旋部（３３０）内に延びている、請求項１に記載の切削・研磨組合せ式オービタルドリル加工ツール。
【請求項９】
前記研磨部は、前記ツール本体に沿って長手方向に延びる複数の研磨要素であって、前記ドリル加工ツールの回転中に前記ワークピースに順次接触するために配置された鈍形の径方向外表面を有する複数の研磨要素を含む、請求項１に記載の切削・研磨組合せ式オービタルドリル加工ツール。
【請求項１０】
本体を有する切削ツールであって、
前記ツールの機械加工端（２０４）の近傍の第１の機械加工直径（１１４）を始めとして、後続の各機械加工直径が先行する機械加工直径よりも大きい複数の機械加工直径を含む機械加工部（１１０）と、
前記複数の機械加工直径のうちの最大のものよりも大きい研磨直径（１２０）を有する研磨部（１０８）と
を備える、切削ツール。
【請求項１１】
前記機械加工部（１１０）は、オービタルドリル加工プロセス中にワークピース内に孔を作成するように構成され、前記研磨部（１０８）は、材料を除去することなく、前記孔の側壁内に残留応力を誘起するように構成されている、請求項１０に記載の切削ツール。
【請求項１２】
前記切削ツールの前記本体は、長手方向軸（１０６）に沿って配置され、前記機械加工部（１１０）は、前記ツールの前記機械加工端（２０４）と前記研磨部（１０８）との間に間置されている、請求項１０に記載の切削ツール。
【請求項１３】
前記研磨部（１０８）は、前記長手方向軸（１０６）から離れる方向に前記本体から延び且つ前記長手方向軸（１０６）に沿って延びる複数のフィン（２２９）を含む、請求項１２に記載の切削ツール。
【請求項１４】
前記複数のフィンのそれぞれが前記長手方向軸から測定された最大半径まで延び、前記複数のフィンの前記最大半径は、前記研磨直径の半分である、請求項１３に記載の切削ツール。
【請求項１５】
前記機械加工部（１１０）は少なくとも１つの機械加工エッジ（３１６）を含み、各機械加工エッジ（３１６）は前記ツール本体上に配置され且つ前記機械加工端（２０４）から前記長手方向軸（１０６）に沿って機械加工螺旋部（３１８）内に延び、前記研磨部（１０８）は各機械加工エッジ（３１６）に関連付けられた鈍形エッジ（３２６）を含み、各鈍形エッジ（３２６）は関連する前記機械加工エッジ（３１６）の前記機械加工螺旋部（３１８）に実質的に続いている鈍形螺旋部（３３０）内に延びている、請求項１２に記載の切削ツール。
【請求項１６】
切削端を有し、且つ長手方向軸に沿って延びるツールであって、前記ツールは前記切削端から間隔を空けて配置された研磨部と、前記切削端と前記研磨部との間に間置された切削部とを有するツールを回転させること（４０２ａ）と、
前記回転ツールを、軌道を周回するような態様でワークピース内に動かすこと（４０４）であって、前記ツールの前記長手方向軸は孔軸を中心に、及び孔軸に沿って動き、それによって側壁を有し且つ前記孔軸に沿って延びる孔を前記ワークピース内に作成する、動かすことと、
前記回転ツールの前記研磨部を、作成された前記孔の前記側壁に沿って前記側壁に接触しながら、前記孔の前記側壁内に残留応力を誘起する態様で、動かすこと（４０６）と
を含む、ワークピース内に孔を作成する方法。
【請求項１７】
前記回転ツールの前記研磨部を、作成された前記孔の前記側壁に沿って前記側壁に接触しながら動かすことは、前記回転ツールの前記研磨部を、前記ワークピースから材料を除去することなく、作成された前記孔の前記側壁に沿って前記側壁に接触しながら動かすことを含む、請求項１６に記載の方法。
【請求項１８】
ツールを回転させることは、前記長手方向軸に沿って配置されたツールシャフトを有するツールであって、前記研磨部が前記ツールシャフトと前記切削部との間に間置されているツールを回転させることを含み、前記回転ツールの前記研磨部を、作成された前記孔の前記側壁に沿って前記側壁に接触しながら動かすことは、前記切削部が前記ワークピースの第１の側面上で作成された前記孔を越えて延び、前記ツールシャフトの一部が、前記ワークピースの前記第１の側面とは反対側の第２の側面上で作成された前記孔を越えて延びている、前記回転ツールを動かすことを含む、請求項１６に記載の方法。
【請求項１９】
前記回転ツールを、軌道を周回するような態様でワークピース内に動かすことは、前記回転ツールを、軌道を周回するような態様でアルミニウムのワークピース内に動かすことを含む、請求項１６に記載の方法。
【請求項２０】
前記ツールを回転させることは、最大切削直径を有する前記切削部と、前記最大切削直径よりも大きい研磨直径を有する前記研磨部とを有する、前記ツールを回転させることを含み、
前記回転ツールを、軌道を周回するような態様で動かすことは、前記長手方向軸が前記孔軸から第１の距離になり、作成された前記孔が第１の直径を有するように、前記回転ツールを動かすことを含み、
前記回転ツールの前記研磨部を、作成された前記孔の前記側壁に沿って前記側壁に接触しながら動かすことは、前記長手方向軸が前記孔軸から前記第１の距離になり、それによって作成された前記孔の前記直径を前記第１の直径よりも大きい第２の直径に拡大するように、前記研磨部を動かすことを含む、
請求項１６に記載の方法。
【発明の詳細な説明】
【技術分野】
【０００１】
本開示は、概して物体に孔をドリル加工することに関する。具体的には、本開示の実施形態は、オービタルドリル加工ツールを用いて材料内に孔を機械加工し、次に同一のツールを用いてこの孔の内部を研磨するための、装置及び方法に関する。
【背景技術】
【０００２】
航空機の建造は、様々な材料で作られた様々な部品に、（何千でなければ）何百という孔をドリル加工することを含み得る。これらの孔の品質、及びこれらの孔がドリル加工される効率は、航空機を組み立てるのに必要な時間、及び航空機の製造後の耐久性に対して、劇的な影響を有し得る。個々の孔を作成するのに時間がどれだけかかるか、孔の作成後にクリーンアップがどれだけ必要か、プロセスがどれだけ反復可能か、ドリル加工ツールにどれだけ耐久性があるか、及びドリル加工後の部品にどれだけ耐久性があるかを含む多数の要因が、孔の品質と効率性に影響する。
【０００３】
オービタルドリル加工は、単一成分材料及び種々の材料のスタックアップを含む様々な材料の中に、高品質の孔を作成する効率的な方法であることが、示されてきた。従来型のドリル加工では、ドリルビットまたは切削ツールが、それら自身の長手方向軸上でスピンしている状態で、材料内に押し通される。したがって、従来型のドリル加工で作成される孔は、その孔を作成したドリルビットと同一の直径を有するであろう。対照的に、オービタルドリル加工では、ドリルビットまたは切削ツールがそれら自身の長手方向軸上で回転する一方、同時に、材料を通って送られるのに加えて、その長手方向軸が作成中の孔の中心を周って回転、即ち「周回（ｏｒｂｉｔ）」する。したがって、オービタルドリル加工で作成される孔は、その孔を作成したドリルビットよりも大きい直径を有していてよい。
【０００４】
オービタルドリル加工は、従来型のドリル加工に対して数々の利点を有する。これらの利点は、クリーンアップが少ないこと、同一のツールを用いて様々な直径の孔を作成し得ること、生成される削り屑が小さくなり熱が少なくなること、様々に異なる材料及び材料のスタックに対してドリル加工し得ること、並びにツールの寿命が長くなることを含む。
【０００５】
部品内に孔を作成する別の方法は、２段階のプロセスであり、第１に、ドリル加工プロセスでパイロット孔が作成され、第２に、後続のリーマー加工プロセスで材料を除去することによって、このパイロット孔の直径が拡大される。アルミニウムといった特定の材料の場合には、ドリル加工／リーマー加工プロセスによる孔の疲労性能は、オービタルドリル加工プロセスと比較して、向上し得る。即ち、孔がドリル加工及びリーマー加工によって作成された場合、部品自体がより長い耐久性を有し得る。この性能上の便益は、リーマー加工プロセスによって誘起される残留応力によるものであり得るが、標準的なオービタルドリル加工の場合には、アルミニウム内の孔は、応力的に中立状態で残される。チタニウム及びステンレス鋼といった他の材料の場合には、孔の疲労性能は、孔をオービタルドリル加工する場合とドリル加工／リーマー加工する場合との両方で、ほぼ同じであり得る。
【０００６】
ドリル加工と、次いでリーマー加工とを行う場合には、２つの別々のツールが必要になり得、またリーマー加工によって、除去を要することになるバリが発生し得る。このどちらも、オービタルドリル加工の場合に比べて効率性を低下させる。現在、アルミニウムの中に孔を作成するには、オービタルドリル加工の場合の効率上の便益と、ドリル加工及びリーマー加工の場合の性能上の便益とを比較検討することが必要であり得る。
【発明の概要】
【０００７】
ある実施形態では、切削・研磨組み合わせ式オービタルドリル加工ツールは、切削端を含み且つ長手方向軸に沿って延びる、長尺のツール本体を含む。ツール本体は、切削端から間隔を空けて配置され、材料を除去することなく孔の側壁内に残留応力を誘起するように構成された、研磨部を含む。ツール本体は、切削端と研磨部との間に間置された切削部をさらに含む。切削部は、オービタルドリル加工プロセス中にワークピースから材料を除去し、それによって孔が形成されるように構成されている。
【０００８】
ある実施形態では、切削ツールは本体を有し、ツールの機械加工端の近傍に、第１の機械加工直径から始まる複数の機械加工直径を有する機械加工部を含む。後続の各機械加工直径は、先行の機械加工直径よりも大きい。このツールは、複数の機械加工直径のうちの最大のものよりも大きい研磨直径を有する、研磨部をさらに含む。
【０００９】
ある実施形態では、ワークピース内に孔を製作する方法は、切削端を有し且つ長手方向軸に沿って延びるツールを、回転させることを含む。このツールは、切削端から間隔を空けて配置された研磨部、及び切削端と研磨部との間に挿入された切削部を有する。この方法は、回転ツールを、軌道を周回するような態様（ｏｒｂｉｔａｌ  ｆａｓｈｉｏｎ）でワークピース内に動かすことを含む。ツールの長手方向軸は孔軸を中心に孔軸に沿って動き、それによって、側壁を有し、孔軸に沿ってワークピースの内部に延びる孔が作成される。方法は、回転ツールの研磨部を、作成された孔の側壁に沿って側壁に接触しながら、孔の側壁内に残留応力を誘起する態様で、動かすことを含む。
【００１０】
本開示は、様々な装置及びそれらの使用方法を提供する。ある実施形態では、装置は、切削部及び研磨部を有する切削ツール本体を含み得る。ある実施形態では、切削部は、オービタルドリル加工プロセス中に孔を作成するように構成され得、研磨部は、材料を除去することなく、作成された孔の側壁内に残留応力を誘起するように構成され得る。特徴、機能、及び利点は、本開示の様々な実施形態で個別に実現され得るか、または、後述の説明及び図面を参照してさらなる詳細が理解可能である、さらに別の実施形態において組み合わされ得る。
【図面の簡単な説明】
【００１１】
【図１】切削・研磨組み合わせ式オービタルドリル加工ツールの概略図である。
【図２】別の切削・研磨組み合わせ式オービタルドリル加工ツールの概略等角図である。
【図３】図２のツールの概略側面図である。
【図４】切削プロセス中である、切削・研磨組合せ式オービタルドリル加工ツールの一実施形態を示す側面図である。
【図５】切削プロセス中である、切削・研磨組合せ式オービタルドリル加工ツールの別の実施形態を示す側面図である。
【図６】ワークピース内に孔を製作する方法を示すフロー図である。
【図７】ワークピース内に孔を作成する様々な段階にある、切削・研磨組合せ式オービタルドリル加工ツールを概略的に示す。
【図８】ワークピース内に孔を作成する様々な段階にある、切削・研磨組合せ式オービタルドリル加工ツールを概略的に示す。
【図９】ワークピース内に孔を作成する様々な段階にある、切削・研磨組合せ式オービタルドリル加工ツールを概略的に示す。
【図１０】ワークピース内に孔を作成する様々な段階にある、切削・研磨組合せ式オービタルドリル加工ツールを概略的に示す。
【図１１】ワークピース内に孔を作成する様々な段階にある、切削・研磨組合せ式オービタルドリル加工ツールを概略的に示す。
【発明を実施するための形態】
【００１２】
概要
切削部と研磨部とを有する切削・研磨組合せ式オービタルドリル加工ツールの様々な実施形態が以下に記載され、付随の図面に示される。別様の定めのない限り、切削・研磨組合せ式オービタルドリル加工ツール、及び／またはその様々な構成要素は、本書で説明され、例示され、かつ／または本書に組み込まれた、構造物、構成要素、機能、及び／または変形例のうちの少なくとも１つを包含し得るが、それらを包含することが必要な訳ではない。さらに、本教示に関連して本書に記載され、例示され、及び／または組み込まれた、構造物、構成要素、機能、及び／または変形例は、他のオービタルドリル加工ツールに含まれ得るが、それらに含まれることが必要というわけではない。様々な実施形態の下記の説明は、本質的に単なる例示であり、本開示、その応用または用途を限定することを意図するものではない。加えて、実施形態によって提供される利点は、後述のように、本質的に例示的であり、すべての実施形態が同じ利点または同程度の利点を提供するわけではない。
【００１３】
実施例、構成要素及び代替手段
以下の各節は、例示の切削・研磨組合せ式オービタルドリル加工ツールの選択された態様、並びに関連するシステム及び／または方法を記載する。これらの節の実施例は、例示を目的としており、本開示の範囲全体を限定するものと解釈すべきではない。各節は、１つ以上の個々の発明、及び／または、状況から得られるあるいは関連する、情報、機能、及び／または構造物を含み得る。
【００１４】
実施例１
本実施例は、例示的な切削・研磨組合せ式オービタルドリル加工ツールを示す。この切削・研磨組合せ式オービタルドリル加工ツールはまた、切削ツールとも称される（図１参照）。
【００１５】
図１は、概して１０で示される、切削・研磨組み合わせ式オービタルドリル加工ツールの概略図である。本例では、切削ツール１０は、ツールシャフト１４、切削部即ち機械加工部１６、及び研磨部１８を含む、長尺のツール本体１２を有する。ツール本体１２は、切削端即ち機械加工端２０を含み、長手方向軸２２に沿って延びている。研磨部１８は、切削端２０から間隔を空けて配置され、切削部１６は、切削端２０と研磨部１８との間に間置されている。
【００１６】
研磨部１８からドリル端２４まで、ツールシャフト１４が延びていてよい。代わりに、切削ツール１０の研磨部１８は、ツールシャフト１４の延長であって、研磨要素が、長手方向軸２２から径方向に離れて、ツールシャフト１４から延びていてもよい。ドリル端２４は、オービタルドリルに連結されるように構成されていてよい。切削ツール１０をドリルに連結する方法はいくつかあり、そのどれもが適切であり得る。
【００１７】
切削部１６は、オービタルドリル加工プロセス中にワークピースまたは部品から材料を除去し、それによってワークピース内に孔が作成されるように構成されていてよい。以下でより詳細に記載されるように、オービタルドリル加工プロセスでは、ツール本体１２が長手方向軸２２上でスピンし得、一方で同時に、長手方向軸２２は、長手方向軸２２から間隔を空けて配置され長手方向軸２２と平行である孔軸を中心に回転し得る。ツール本体１２は、スピンし回転しながら、ワークピース内を前進し得る。
【００１８】
切削部１６は、切削ツール１０がワークピースを通って前進する際にワークピースから材料を除去するように構成された、複数の切削エッジを含み得る。切削エッジは、切削端２０上に配置されていてよく、長手方向軸２２に沿って延びていてよい。ワークピースから除去された材料が切削エッジから引き離され得るように、切削部１６は、細長い窪み（ｆｌｕｔｅ）、チャネル、または通路を含んでいてよい。切削部１６は、冷却剤または潤滑剤を切削エッジの近傍に導入しそこから除去するための、通路を含み得る。
【００１９】
研磨部１８は、材料を除去することなく孔の側壁内に残留応力を誘起するように構成されていてよい。研磨部１８は、ワークピースから材料を除去することなく孔の側壁を変形することによって、残留応力を誘起する。非限定的な例として、研磨部１８は、円形、円錐形、先細形、またはその他の鈍形エッジを、ワークピースの降伏強さを超えるのに十分な力でワークピースに対して走らせることによって、側壁を変形し得る。切削・研磨組合せ式オービタルドリル加工ツール１０がワークピース内を進むのにつれて、切削端２０から始まって、切削ツール１０の切削部１６がワークピース内に孔を作成し得る。切削ツール１０がワークピース内を前進し続けるのにつれて、研磨部１８は、切削部１６によって作成された孔の側壁を研磨するか、または他の態様で変形し得る。ワークピースが、切削部１６の長手方向の伸長よりも大きい厚さを有している場合、切削部１６によって孔のより深い部分が作成されているときに、一方では研磨部１８が同時に同じ孔のより浅い部分の側部を研磨していてよい。
【００２０】
孔の側壁を研磨することによって、側壁の近傍にあるワークピースの材料が変形し得る。孔の側壁は、研磨部１８によって平滑化され得る。研磨部１８がワークピースから材料を除去しないにも関わらず、孔の直径は、研磨部１８によって接触されることによってわずかに拡大し得る。こうして、研磨はリーマー加工と対比され得るが、リーマー加工は、孔の側壁から材料をさらに除去することによって、孔の直径を拡大するものである。孔の側壁に変形を生じさせることによって、側壁内に有益な残留応力が誘起され得る。ある場合、例えばワークピースがアルミニウムからできている場合には、切削部１６で孔を作成することによって、孔の側壁は応力の中立状態のまま残され得る。その結果、時間と共に亀裂が形成されやすく成り得る。アルミニウムのワークピース内に形成された孔の側壁を研磨することによって、ワークピースを亀裂や他の欠陥がより形成されにくくし得る。
【００２１】
実施例２
本実施例は、別の例示的な切削・研磨組合せ式オービタルドリル加工ツールを示す。この切削・研磨組合せ式オービタルドリル加工ツールは、切削ツールと称され得る（図２、図３参照）。
【００２２】
図２は、概して１００で示される、切削・研磨組み合わせ式オービタルドリル加工ツールの概略斜視図である。図３は、切削ツール１００の概略側面図である。図２及び図３を、下記で合わせて説明する。切削ツール１００は切削ツール１０と同様であってよく、切削ツール１０の便益や使用方法の記載は、全て繰り返して記載することはしない。
【００２３】
本実施例では、切削・研磨組み合わせ式オービタルドリル加工ツール１００は、切削端即ち機械加工端１０４を含み且つ長手方向軸１０６に沿って延びる、長尺のツール本体１０２を有する。このツール本体１０２は、切削端１０４から間隔を空けて配置された研磨部１０８、及び切削端１０４と研磨部１０８との間に間置された切削部即ち機械加工部１１０を有する。ツール本体１０２は、長手方向軸１０６に沿って配置されたツールシャフト１１２をさらに含む。研磨部１０８が、ツールシャフト１１２と切削部１１０との間に間置されている。
【００２４】
機械加工部とも称される切削部１１０は、複数の切削直径即ち機械加工直径を含む。これらの直径は、切削端即ち機械加工端１０４の近傍の切削直径１１４即ち機械加工直径１１４を始めとして、数字Ｎで示されている。後続の各切削直径は、先行の切削直径よりも大きい。例えば、図２及び図３で概略的に示されている切削直径１００は、Ｎ番目の切削直径即ち機械加工直径１１６を有し得、このＮ番目の切削直径１１６は、第１の切削直径１１４よりも大きくてよい。切削ツール１００は、２つの切削直径１１４と１１６を有するが、任意の数の切削直径が適切であり得る。即ち、数字Ｎは、１、２、または２よりも大きい数を含む任意の適切な数であり得る。後続の各切削直径は、隣接する先行の切削直径よりも大きくてよく、隣接する先行の切削直径よりも、切削端１０４からより遠くに配置されていてよい。言い換えれば、切削直径は、切削端１０４から漸進的に増大してよい。
【００２５】
ある実施形態では、切削部１１０は、１つの切削直径のみを含んでいてよい。即ち、Ｎ番目の切削直径１１６が切削部の唯一の切削直径であるように、切削ツール１００の第１の切削直径１１４は、オプションであってよい。
【００２６】
ツールシャフト１１２はシャフト直径１１８を有し得、研磨部１０８はシャフト直径１１２よりも大きい研磨直径１２０を有し得る。シャフト直径よりも大きい研磨直径を有することによって、切削ツール１００の長手方向軸１０６が孔軸に対して傾斜していることが可能になる一方、ツールシャフトもまた孔の側壁に接触することなしに、切削ツール１００の研磨部が孔の側壁に接触することが可能になる。
【００２７】
切削ツール１００の切削部１１０は、最大切削直径、例えばＮ番目の切削直径１１６を有し得る。研磨直径１２０は、最大切削直径よりも大きい。研磨直径１２０と最大切削直径との差は、わずかであってよい。例えば、ある実施形態では、研磨直径は、１０００分の１インチと同じくらい小さいか、それ以下の差で、Ｎ番目の切削直径１１６よりも大きくてよい。こうした精細な仕様の切削ツールを作成するには、精密な製造が必要になり得る。
【００２８】
ある実施形態では、研磨直径は、最大切削直径１１６よりも小さくてよい。オプションで、より小さい研磨直径を有する例が、図３の１２２で示されている。オプションの研磨直径１２２は、シャフト直径１１８より大きくてよい。
【００２９】
図２及び図３の検討では、様々な直径１１４、１１６、１１８、１２０、及び１２２のうちの任意のものが、長手方向軸１０６から測定された適切な半径という点で、等しいものとして示されていてよい。
【００３０】
実施例３
本実施例は、例示的な切削・研磨組合せ式オービタルドリル加工ツールの実施態様を示す。この切削・研磨組合せ式オービタルドリル加工ツールはまた、切削ツールとも称され得る（図４参照）。
【００３１】
図４は、切削プロセス中に概して２００で示されている、切削・研磨組合せ式オービタルドリル加工ツールの一実施形態を示す側面図である。切削ツール２００は、切削ツール１００または切削ツール１０と同様であってよい。
【００３２】
切削ツール２００は、切削端２０４を有し且つ長手方向軸２０６に沿って延びる、長尺のツール本体２０２を含み得る。ツール本体は、切削部即ち機械加工部２０８、及び研磨部２１０を含み得る。研磨部２１０は、切削端から間隔を空けて配置されていてよく、切削部即ち機械加工部２０８は、切削端と研磨部との間に間置されていてよい。
【００３３】
切削・研磨組合せ式オービタルドリル加工ツール２００の切削部２０８は、ワークピース２１２から材料を除去し、それによって孔２１４を作成するように構成されていてよい。切削部は、ツール本体２０２上に配置された少なくとも１つの切削エッジ２１６を含み得る。切削エッジ２１６は、切削端２０４に沿って延びていてよく、切削端から、長手方向軸２０６に沿って切削螺旋部２１８内に延びていてよい。
【００３４】
切削ツール２００がその長手方向軸２０６を中心に回転し、孔軸２２０を中心に周回するのにつれて、切削エッジ２１６は、切削端２０４または接触螺旋部２１８でワークピースに接触することによって、ワークピース２１２から材料を除去し得る。切削端に配置された切削エッジの一部は、孔２１４のフロア２２２を作成し得、一方で切削螺旋部２１８に配置された切削エッジの一部は、孔の側壁２２４を作成し得る。切削ツールがワークピース内を進むのにつれて、孔のフロア２２２は、孔内のより深くへ進行し得る。切削端がワークピース内部を完全に通過しきった場合、孔はワークピースを貫通する通路となり、孔はフロアを有さなくなる。
【００３５】
研磨部２１０は、ツール本体２０２に沿って長手方向に延びる複数の研磨要素２２６を含み得る。複数の研磨要素のそれぞれは、ドリル加工ツールの回転中にワークピースに反復して接触させるために配置された、鈍形の径方向外表面２２８を有し得る。即ち、鈍形の径方向外表面２２８は、長手方向軸２０６に垂直な平面で見たときに、湾曲した凸面であってよい。
【００３６】
図４に示す実施形態では、複数の研磨要素２２６は、ツール本体から径方向に延びる複数のフィン２２９を含む。フィン２２９は、長手方向軸２０６に沿って延びる長さ２３０を有し得、フィンは、ツール本体の周囲に円周状に分布していてよい。各フィンは、長手方向軸から測定した最大半径２３２にまで延びていてよい。複数のフィンの最大半径は、研磨直径２３４の半分であってよい。フィンは、その長さ２３０に沿って任意の適切な形状を有していてよい。図４に示す実施形態では、各フィンは、フィンの側面２３８から垂直に見たときに、アーチ形の径方向外表面２３６を有する。他の実施形態では、フィンは、長手方向軸を中心に方位角方向に延びていてよく、同様に径方向、及び長手方向にでもよい。
【００３７】
ツールの切削部２０８は、切削半径即ち機械加工半径２４０を有し得る。切削部が、ツール本体２０２に沿って配置された複数の機械加工セクション即ち切削セクションを有している場合、それぞれに直径または同等の機械加工半径即ち切削半径があるが、機械加工半径２４０が最大の機械加工半径即ち切削半径であり得る。図４に示す実施形態では、複数のフィン２２９の最大半径２３２は、切削半径２４０よりも大きい。他の実施形態では、フィンの最大半径は、切削半径とほぼ同じであるか、切削半径よりも小さくてよい。フィンの最大半径２３２と、切削部の最大機械加工半径２４０との差は、理解を助けるため、図４では誇張されていてよい。
【００３８】
研磨要素の、鈍形の径方向外表面２２８は湾曲した凹面であってよいため、鈍形の径方向外表面は、孔２１４の側壁２２４と接線方向またはほぼ接線方向の接触をしてよい。研磨要素が孔の側壁に沿って動くのにつれて、フィンの鈍形の径方向外表面２２８は、ワークピースから材料を除去することなく、孔の側壁を変形し得、それによって、孔の側壁内に有益な残留応力を誘起し得る。他の実施形態では、研磨要素は、鈍形のエッジまたは円形のエッジの代わりに、エッジの進行方向から離れて指向された、鋭形の研磨エッジを含み得る。これらの他の実施形態では、研磨要素と孔の側壁との接触角は、研磨要素が材料を除去することなく側壁を変形させるように、十分小さくてよい。
【００３９】
実施例４
本実施例は、例示的な切削・研磨組合せ式オービタルドリル加工ツールの別の実施態様を示す。この切削・研磨組合せ式オービタルドリル加工ツールはまた、切削ツールとも称され得る（図５参照）。
【００４０】
図５は、切削プロセス中に概して３００で示されている、切削・研磨組合せ式オービタルドリル加工ツールの一実施形態を示す側面図である。切削ツール３００は、切削ツール１００または切削ツール１０と同様であってよい。
【００４１】
切削ツール３００は、切削端即ち機械加工端３０４を有し且つ長手方向軸３０６に沿って延びる、長尺のツール本体３０２を含み得る。ツール本体３０２は、切削部即ち機械加工部３０８、及び研磨部３１０を含み得る。研磨部３０８は、切削端から間隔を空けて配置されていてよく、切削部３０６は、切削端と研磨部との間に配置されていてよい。
【００４２】
切削・研磨組合せ式オービタルドリル加工ツール３００の切削部３０８は、ワークピース３１２から材料を除去し、それによって孔３１４を作成するように構成されていてよい。切削部は、ツール本体３０２上に配置された少なくとも１つの切削エッジ３１６を含み得る。切削エッジ３１６は、切削端３０４に沿って延びていてよく、切削端から、長手方向軸３０６に沿って切削螺旋部３１８内に延びていてよい。切削ツール３００の切削部３０８は、ワークピース３１２からの材料の除去に関して、切削ツール２００の切削部２０８と同様に機能し得る。切削ツール３００は、除去された材料を切削エッジ３１６から遠ざけるように構成された、複数の切削用の細長い窪み３２０を含み得る。
【００４３】
研磨部３１０は、ツール本体３０２に沿って長手方向に延びる複数の研磨要素３２２を含み得る。複数の研磨要素のそれぞれは、ドリル加工ツールの回転中にワークピースに順次接触させるために配置された、鈍形の径方向外表面３２４を有し得る。即ち、鈍形の径方向外表面３２４は、長手方向軸３０６に垂直な平面で見たときに、湾曲した凸面であってよい。
【００４４】
図５の実施形態では、複数の研磨要素は複数の鈍形エッジ３２６であり、鈍形エッジ３２６のそれぞれは、各切削エッジ３１６と関連づけられている。即ち、各切削エッジ３１６は、切削螺旋部３１８に沿って、切削端３０４の近傍から切削エッジ終端部３２８まで延びていてよい。各鈍形エッジ３２６は、関連する切削エッジ３１６の切削螺旋部３１８が実質的に続いていくように、鈍形螺旋部３３０内に延びていてよい。切削エッジ終端部では、鋭形切削エッジ３１６から鈍形エッジ３２６への移行があってよい一方、長手方向３０６に沿った螺旋部の渦巻形状は、実質的に継続していてよい。
【００４５】
ツールの切削部３０８は、切削半径即ち機械加工半径３３２を有し得る。切削部が、異なる機械加工直径即ち切削直径である、または同様に複数の異なる機械加工半径即ち切削半径である、複数の機械加工セクション即ち切削セクションを有している場合、機械加工半径３３２が最大の機械加工半径即ち切削半径であり得る。図６に示す実施形態では、研磨部３１０の最大半径３３４は、切削半径３３２よりも大きい。他の実施形態では、研磨部の最大半径は、切削半径とほぼ同じであるか、切削半径よりも小さくてよい。研磨部の最大半径３３４と、切削部の最大機械加工半径３３２との差は、理解を助けるため、図５では誇張されていてよい。
【００４６】
研磨プロセス中、切削ツール３００が孔軸３４０に沿い孔３１４の側壁３３６と接触して動くのにつれて、切削・研磨組合せ式オービタルドリル加工ツール３００は、長手方向軸３０６を中心にして回転し得る。したがって、切削ツールが回転するのにつれて、複数の鈍形エッジ３２６は、順次ワークピース３１２と接触し得る。鈍形エッジの鈍形の径方向外表面３２４は、ワークピースから材料を除去することなく、孔の側壁を変形し得、それによって、孔の側壁内に有益な残留応力を誘起し得る。
【００４７】
実施例５
この実施例は、本書に記載の任意の切削ツールと組み合わせて用いられ得る、ワークピース内に孔を製作する例示的な方法を示している（図６参照）。本方法の様々なステップは図７〜図１１に概略的に示されており、これらの図面は、図６で概説される各ステップに沿って参照される。
【００４８】
図６には、概して４００で示される、ワークピース内に孔を製作する方法の複数のステップが示されている。方法４００は、図１〜図５に関連して示され記載された、切削・研磨組合せ式オービタルドリル加工ツールのうちの任意のものと併用され得る。具体的には、方法４００の例示的な実装形態が図７〜図１１に示されているが、他の実施形態もまた可能である。方法４００の様々なステップが後述され、図６に示されているが、ステップは必ずしも全て実行される必要がある訳ではなく、場合によっては、図示された順番とは異なる順番で実行されてもよく、またある場合には同時に実行されてもよい。
【００４９】
方法４００は、切削部と研磨部とを有するツールを回転させるステップ４０２を含む。ツールは、切削端を有していてよく、且つ長手方向軸に沿って延びていてよい。研磨部は、切削端から間隔を空けて配置されていてよく、切削部は、切削端と研磨部との間に間置されていてよい。ツールを回転させることは、ツールを長手方向軸を中心にして回転させることを含み得る。ツールは、ツールが連結されているオービタルドリルによって回転されてよい。
【００５０】
ツールを回転させることは、最大切削直径を有する切削部と、最大切削直径よりも大きい研磨直径を有する研磨部とを有する、ツールを回転させることを含み得る。さらに、ツールを回転させることは、研磨部がツールシャフトと切削部との間に間置され、長手方向軸に沿って配置されたツールシャフトを有する、ツールを回転させることを含み得る。
【００５１】
例えば、図７では、概して５００で示されるツールが示されている。上記のように、ツール５００は、切削部５０２、研磨部５０４、及び切削端５０６を含み、長手方向軸５０８に沿って延びている。ツール５００の切削部５０２は最大切削直径５１０を有し、研磨部５０４は最大切削直径よりも大きい研磨直径５１２を有する。ツール５００は、オービタルドリル（図示せず）に連結されていてよいドリル端５１４を有し得る。ツールは、長手方向軸５０８を中心にして回転またはスピンするように構成されていてよく、長手方向軸は、長手方向軸に垂直な１つ以上の方向に動くように構成されていてよい。
【００５２】
方法４００は、回転ツールを、軌道を周回するような態様でワークピース内に動かし、それによって、ワークピース内に延びる孔を作成するステップ４０４を含む。回転ツールを、軌道を周回するような態様で動かすことは、ツールの長手方向軸を、孔軸を中心に及び孔軸に沿って、動かすことを含み得る。作成された孔は、単数または複数の側壁を有していてよく、孔軸に沿ってワークピース内に延びていてよい。回転ツールを、軌道を周回するような態様で、アルミニウム、チタニウム、もしくは鋼といった単一の材料からできているワークピース内に動かすこと、または、炭素繊維補強ポリマー、もしくは他の何らかの積層ワークピースといった複数の材料からできているワークピース内に動かすことが、適切であり得る。
【００５３】
回転ツールを、軌道を周回するような態様で動かすことは、長手方向軸が孔軸から第１の距離になるように回転ツールを動かすことと、第１の直径を有する孔を作成することとを含み得る。
【００５４】
図８は、ステップ４０４の例示的な一実施形態の図であり、ツール５００が軌道を周回するような態様でワークピース５１６内に動いている。切削部５０２がワークピースから材料を除去し、それによって孔５１８が作成されている。研磨部５０４は、未だワークピースと接触するに至っていない。長手方向軸５０８は、孔軸５２２から第１の距離５２０のところに配置されていてよい。ツール５００は、長手方向軸５０８が孔軸５２２を中心に回転または周回し、それによって、ツールが動く際に長手方向軸と孔軸が第１の距離５２０で距離を維持するようにして、動いてよい。この段階では、孔５１８は、第１の距離５２０及び切削部の最大切削直径５１０によって規定され得る、第１の直径５２４を有し得る。ツールは、孔軸を中心に動くのに加えて、孔軸に沿ってワークピース内により深く動き得る。
【００５５】
回転ツールを、軌道を周回するような態様でワークピース内に動かすことは、回転ツールの切削端と、回転ツールの研磨部の前縁との間の距離よりも短い厚さを有するワークピース内に、回転ツールを、軌道を周回するような態様で動かすことを含み得る。ツールの切削部は、長手方向軸に沿って測定された切削長を有し、この切削長は、ワークピースの厚さよりも長くてよい。切削長は、切削端と研磨部の前縁との間の距離と等しいか、それよりも長くてよい。しかし、例えばツールの切削部と研磨部の前縁との間にスペースがある例では、切削長は、切削端と研磨部の前縁との間の距離とは異なっていてよい。
【００５６】
図９は、ステップ４０４の例示的な一実施形態の図であり、ツール５００の切削部５０２が、ワークピース５１６を完全に貫通している。孔５１８は、今やワークピースを貫通する通路である。研磨部５０４は、未だワークピースと接触するに至っていない。ワークピース５１６は、回転ツールの切削端５２６と研磨部の前縁５３０との間の距離５２８よりも短い厚さ５２６を有し得る。例示的なツール５００の切削端５０２は、長手方向軸５０８に沿って測定された切削長５３２を有し得る。切削長５３２は、ワークピースの厚さ５２６よりも長くてよい。
【００５７】
切削部の切削長が、ワークピースの厚さよりも長くなくてもよいことは、留意されたい。例えば、図４及び図５に示す例示的な実施形態では、切削部の切削長は、ワークピースの厚さよりも短い。図４及び図５に示す実施形態は、最大切削直径よりも大きい研磨直径を有する。これらの場合、ツールの研磨部は、ツールの切削部が孔の作成を完了するよりも前に、孔の側壁を研磨し始めてよい。オプションで、切削部と研磨部との間には、切削部の長さよりも厚いワークピースを通る孔のドリル加工を可能にする距離があってよい。
【００５８】
方法４００は、回転ツールの研磨部を、作成された孔の側壁に沿って側壁に接触しながら、側壁内に残留応力を誘起する態様で、動かすステップ４０６を含む。即ち、回転ツールの研磨部は、ツールが動くのにつれて研磨部が側壁と接触するように、孔軸を中心に且つ光軸に沿って、孔内を動き得る。研磨部と側壁との接触は、ツールが回転する際の滑り接触であってよい。この接触によって、孔の側壁の表面は、ワークピースから材料を除去することなく変形され得る。
【００５９】
回転ツールの研磨部を、作成された孔の側壁に沿って側壁に接触しながら動かすことは、長手方向軸が孔軸から第１の距離にあり、それによって、作成された孔の直径が第１の直径よりも大きい第２の直径に拡大されるように、研磨部を動かすことを含み得る。即ち、ステップ４０４で切削部がワークピースから材料を除去していた時に存在していた長手方向軸と孔軸との間の距離は、研磨部が孔の側壁に接触しているときにも、維持され得る。研磨直径が最大切削直径よりも大きくてよいため、この距離を維持することで、材料を除去することなく孔の側壁を変形させることによって孔の直径が拡大され得る。
【００６０】
図１０は、ステップ４０６の例示的な一実施形態の図であり、研磨部５０４が、孔５１８の側壁５３４内に残留応力を誘起し始めている。長手方向軸５０８は、孔軸５２２から第１の距離５２０、即ち図８に示すものと同じ距離で配置されていてよい。より大きい研磨直径５１２が孔の側壁と接触するため、及び長手方向軸と孔軸の相対的配置が維持されているため、孔の直径は、第１の直径５２４から第１の直径よりも大きい第２の直径５３６へと拡大し得る。理解を助けるため、図１０では第２の直径と第１の直径の間の差が、誇張されていてよい。
【００６１】
回転ツールの研磨部を、作成された孔の側壁に沿って側壁に接触しながら動かすことは、切削部がワークピースの第１の側面上で作成された孔を越えて延び、ツールシャフトの一部が、ワークピースの第１の側面とは反対側の第２の側面上で作成された孔を越えて延びるように、回転ツールを動かすことを含み得る。
【００６２】
図１１は、ステップ４０６の例示的な一実施形態の図であり、切削部５０２がワークピース５１６の第１の側面５３８上で作成された孔５１８を越えて延び、ツールシャフト５４０の一部が、ワークピースの第１の側面とは反対側の第２の側面５４２上で作成された孔を越えて延びている。
【００６３】
実施例６
この節では、実施形態のさらなる態様及び特徴が説明されるが、これらは、限定されずに一連の段落として提示され、一連の段落の一部または全部は、明確性及び効率性のために英数字で指定され得る。これらの段落の各々は、１つ以上他の段落と、及び／または本願の他の部分からの開示と、任意の適した方法で組み合わせることができる。以下の段落のいくつかは、適切な組み合わせのいくつかの例を非限定的に示しながら、明示的に他の段落に言及し、さらに他の段落を限定する。
【００６４】
Ａ１．切削・研磨組合せ式オービタルドリル加工ツールであって、
切削端を含み且つ長手方向軸に沿って延びる長尺のツール本体を備え、
ツール本体は、
切削端から間隔を空けて配置され、材料を除去することなく孔の側壁内に残留応力を誘起するように構成された研磨部と、
切削端と研磨部の間に間置された切削部であって、オービタルドリル加工プロセス中に、ワークピースから材料を除去し、それによって孔を作成するように構成された切削部とを含む、
切削・研磨組合せ式オービタルドリル加工ツール。
【００６５】
Ａ２．切削部は、切削端の近傍の第１の切削直径を始めとして、後続の各切削直径が先行する切削直径よりも大きい複数の切削直径を含む、段落Ａ１に記載の切削・研磨組合せ式オービタルドリル加工ツール。
【００６６】
Ａ３．ツール本体は、長手方向軸に沿って配置されたツールシャフトを含み、研磨部はツールシャフトと切削部の間に間置されており、ツールシャフトはシャフト直径を有し、研磨部はシャフト直径よりも大きい研磨直径を有する、段落Ａ１に記載の切削・研磨組合せ式オービタルドリル加工ツール。
【００６７】
Ａ４．ツールの切削部は最大切削直径を有し、研磨直径は最大切削直径よりも大きい、段落Ａ３に記載の切削・研磨組合せ式オービタルドリル加工ツール。
【００６８】
Ａ５．研磨部は、ツール本体から径方向に延び且つ長手方向軸に沿って延びる長さを有する複数のフィンであって、ツール本体の周囲に円周方向に分布している複数のフィンを含む、段落Ａ１に記載の切削・研磨組合せ式オービタルドリル加工ツール。
【００６９】
Ａ６．複数のフィンのそれぞれが長手方向軸から測定された最大半径まで延び、ツールの切削部は切削半径を有し、複数のフィンの最大半径は切削半径よりも大きい、段落Ａ５に記載の切削・研磨組合せ式オービタルドリル加工ツール。
【００７０】
Ａ７．各フィンは、フィンの側面に対して垂直に見たときにアーチ形の径方向外表面を有する、段落Ａ６に記載の切削・研磨組合せ式オービタルドリル加工ツール。
【００７１】
Ａ８．切削部は少なくとも１つの切削エッジを含み、各切削エッジはツール本体上に配置され且つ切削端から長手方向軸に沿って切削螺旋部内に延び、研磨部は各切削エッジに関連付けられた鈍形エッジを含み、各鈍形エッジは関連する切削エッジの切削螺旋部に実質的に続いている鈍形螺旋部内に延びている、段落Ａ１に記載の切削・研磨組合せ式オービタルドリル加工ツール。
【００７２】
Ａ９．研磨部は、ツール本体に沿って長手方向に延び、且つドリル加工ツールの回転中にワークピースに順次接触するために配置された鈍形の径方向外表面を有する複数の研磨要素を含む、段落Ａ１に記載の切削・研磨組合せ式オービタルドリル加工ツール。
【００７３】
Ｂ１．本体を有する切削ツールであって、
ツールの機械加工端の近傍の第１の機械加工直径を始めとして、後続の各機械加工直径が先行する機械加工直径よりも大きい複数の機械加工直径を含む機械加工部と、
複数の機械加工直径のうちの最大のものよりも大きい研磨直径を有する研磨部と
を備える、切削ツール。
【００７４】
Ｂ２．機械加工部は、オービタルドリル加工プロセス中にワークピース内に孔を作成するように構成され、研磨部は、材料を除去することなく、孔の側壁内に残留応力を誘起するように構成されている、段落Ｂ１に記載の切削ツール。
【００７５】
Ｂ３．切削ツールの本体は、長手方向軸に沿って配置され、機械加工部は、ツールの機械加工端と研磨部との間に間置されている、段落Ｂ１に記載の切削ツール。
【００７６】
Ｂ４．研磨部は、長手方向軸から離れる方向に本体から延び且つ長手方向軸に沿って延びる複数のフィンを含む、段落Ｂ３に記載の切削ツール。
【００７７】
Ｂ５．複数のフィンのそれぞれが長手方向軸から測定された最大半径まで延び、複数のフィンの最大半径は、研磨直径の半分である、段落Ｂ４に記載の切削ツール。
【００７８】
Ｂ６．機械加工部は少なくとも１つの機械加工エッジを含み、各機械加工エッジはツール本体上に配置され且つ機械加工端から長手方向軸に沿って機械加工螺旋部内に延び、研磨部は各機械加工エッジに関連付けられた鈍形エッジを含み、各鈍形エッジは関連する機械加工エッジの機械加工螺旋部に実質的に続いている鈍形螺旋部内に延びている、段落Ｂ３に記載の切削ツール。
【００７９】
Ｃ１．切削端を有し、且つ長手方向軸に沿って延びるツールを回転させることであって、ツールは切削端から間隔を空けて配置された研磨部と、切削端と研磨部との間に間置された切削部とを有する、回転させることと、
回転ツールを、軌道を周回するような態様でワークピース内に動かすことであって、ツールの長手方向軸は孔軸を中心に、及び孔軸に沿って動き、それによって側壁を有し且つ孔軸に沿って延びる孔をワークピース内に作成する、動かすことと、
回転ツールの研磨部を、作成された孔の側壁に沿って側壁に接触しながら、孔の側壁内に残留応力を誘起する態様で、動かすことと
を含む、ワークピース内に孔を作成する方法。
【００８０】
Ｃ２．回転ツールの研磨部を、作成された孔の側壁に沿って側壁に接触しながら動かすことは、回転ツールの研磨部を、ワークピースから材料を除去することなく、作成された孔の側壁に沿って側壁に接触しながら動かすことを含む、段落Ｃ１に記載の方法。
【００８１】
Ｃ３．回転ツールの研磨部を、作成された孔の側壁に沿って側壁に接触しながら動かすことは、長手方向軸を孔軸と交差させ、回転ツールを側壁に対して傾けることを含む、段落Ｃ１に記載の方法。
【００８２】
Ｃ４．回転ツールを、軌道を周回するような態様でワークピース内に動かすことは、回転ツールを、軌道を周回するような態様でアルミニウムのワークピース内に動かすことを含む、段落Ｃ１に記載の方法。
【００８３】
Ｃ５．ツールを回転させることは、最大切削直径を有する切削部と、最大切削直径よりも大きい研磨直径を有する研磨部とを有する、ツールを回転させることを含み、
回転ツールを、軌道を周回するような態様で動かすことは、長手方向軸が孔軸から第１の距離になり、作成された孔が第１の直径を有するように、回転ツールを動かすことを含み、
回転ツールの研磨部を、作成された孔の側壁に沿って側壁に接触しながら動かすことは、長手方向軸が孔軸から第１の距離になり、それによって作成された孔の直径を第１の直径よりも大きい第２の直径に拡大するように、研磨部を動かすことを含む、
段落Ｃ１に記載の方法。
【００８４】
Ｃ６．ツールを回転させることは、長手方向軸に沿って配置されたツールシャフトを有するツールであって、研磨部がツールシャフトと切削部との間に間置されているツールを回転させることを含み、回転ツールの研磨部を、作成された孔の側壁に沿って側壁に接触しながら動かすことは、切削部がワークピースの第１の側面上で作成された孔を越えて延び、ツールシャフトの一部が、ワークピースの第１の側面とは反対側の第２の側面上で作成された孔を越えて延びている、回転ツールを動かすことを含む、段落Ｃ１に記載の方法。
【００８５】
Ｃ７．回転ツールを、軌道を周回するような態様でワークピース内に動かすことは、回転ツールの切削端と、回転ツールの研磨部の前縁との間の距離よりも短い厚さを有するワークピース内に、回転ツールを、軌道を周回するような態様で動かすことを含む、段落Ｃ１に記載の方法。
【００８６】
Ｃ８．切削部は、長手方向軸に沿って測定された切削長を有し、この切削長は、ワークピースの厚さよりも長い、段落Ｃ７に記載の方法。
【００８７】
利点、特徴、便益
本書に記載の、切削・研磨組合せ式オービタルドリル加工ツール及びその使用方法の種々の実施形態は、オービタルドリル加工の既知の解決法に対して、いくつかの利点を提供する。例えば、本書に記載の、切削・研磨組合せ式オービタルドリル加工ツールの例示的な実施形態は、単一のツールのみを用いて、ワークピース内に孔がドリル加工され、続いて研磨されることを可能にする。加えて、また他の便益の中の１つとして、本書に記載の切削ツールの例示的な実施形態は、アルミニウム内に孔をドリル加工するための使用に特に適切であり得る。既知のシステムまたはデバイスには、特に単一のツールの一度の通過によって、これらの機能を実行できるものはない。しかしながら、本書で説明されているすべての実施形態が、同じ利点または同一程度の利点を提供する訳ではない。
【００８８】
結論
上述の開示は、個別の有用性を備えた複数の個々の発明を包括しうる。これらの発明の各々は、その好適な形態で開示されているが、本書で開示され例示されているそれらの具体的な実施形態は、数多くの変形例が可能であることから、限定的な意味で捉えるべきものではない。本書で使用されている限り、セクション見出しは構成上の目的のものに過ぎず、なんら本発明の請求の範囲を特徴付けるものではない。本発明の主題は、本書で開示されている様々な要素、特徴、機能、及び／または特性の、新規的かつ進歩的な組み合わせ及びサブコンビネーションのすべてを含む。下記の特許請求の範囲は、新規的かつ進歩的であると見なされる、特定の組み合わせ及びサブコンビネーションを特に指し示すものである。特徴、機能、要素、及び／または特性のその他の組み合わせ及びサブコンビネーションにおいて具現化される発明は、この出願または関連出願からの優先権を主張する出願において特許請求され得る。こうした特許請求の範囲はまた、異なる発明を対象とするか、または同一の発明を対象とするかに関わらず、且つ、出願当初の特許請求の範囲よりも広いか、狭いか、等しいか、またはそれと異なるかに関わらず、本開示の発明の主題の中に含まれると見なされる。
【図１】
2017205859.tif 000003
【図２】
2017205859.tif 000004
【図３】
2017205859.tif 000005
【図４】
2017205859.tif 000006
【図５】
2017205859.tif 000007
【図６】
2017205859.tif 000008
【図７】
2017205859.tif 000009
【図８】
2017205859.tif 000010
【図９】
2017205859.tif 000011
【図１０】
2017205859.tif 000012
【図１１】
2017205859.tif 000013
【外国語明細書】
2017205859000001.pdf
2017205859000002.pdf
2017205859000003.pdf
2017205859000004.pdf